(57)【要約】【課題】防漏性、装着感に優れた吸収パッドを提供する。【解決手段】吸収パッド１００は、トップシート１８とバックシートとが吸収体２２を挟持した状態で積層された吸収性本体１４と、吸収性本体１４の吸収体２２の各側縁２２ａ，２２ｂに沿って配置された一対の立体ギャザー２６ａと、を備え、一対の立体ギャザー２６ａのそれぞれは、立体ギャザー２６ａの起立線Ｌから立ち上がる防漏壁部２７ａと、防漏壁部２７ａの先端部に配置された立体ギャザー伸縮材２８と、を有し、一対の立体ギャザー２６ａのそれぞれの防漏壁部２７ａは、吸収体２２を挟んで互いに向かい合う壁面とは反対側の外側壁面８２に、当該外側壁面８２の根元８３から先端８４までの一部が、立体ギャザー２６ａの起立する方向に対して外側方向に向かって突出する突出部２９ａを有する。【選択図】図１
2014188105.tif 000002
【特許請求の範囲】
【請求項１】
複数のシートが吸収体を挟持した状態で積層された吸収性本体と、
前記吸収性本体の前記吸収体の各側縁に沿って配置された一対の立体ギャザーと、を備え、
一対の前記立体ギャザーのそれぞれは、前記立体ギャザーの起立線から立ち上がる防漏壁部と、前記防漏壁部の先端部に配置された立体ギャザー伸縮材と、を有し、
一対の前記立体ギャザーのそれぞれの前記防漏壁部は、前記吸収体を挟んで互いに向かい合う壁面とは反対側の外側壁面に、当該外側壁面の根元から先端までの一部が、前記立体ギャザーの起立する方向に対して外側方向に向かって突出する突出部を有する、吸収パッド。
【請求項２】
前記突出部は、前記突出部の突端から前記外側壁面の表面までの突出長さが、２〜２０ｍｍである、請求項１に記載の吸収パッド。
【請求項３】
前記突出部は、前記外側壁面の根元側から先端側に向かう方向の長さが、５〜１００ｍｍである、請求項１又は２に記載の吸収パッド。
【請求項４】
前記突出部は、前記外側壁面の根元から先端までの長さを１００％とした場合に、前記外側壁面の前記根元から１〜９０％の範囲の一部に少なくとも存在する、請求項１〜３のいずれか一項に記載の吸収パッド。
【請求項５】
前記突出部は、親水性又は撥水性である、請求項１〜４のいずれか一項に記載の吸収パッド。
【請求項６】
前記吸収性本体の裏面側に、着脱可能な接着部を更に備えた、請求項１〜５のいずれか一項に記載の吸収パッド。
【請求項７】
請求項１〜６のいずれか一項に記載の吸収パッドと、
前記吸収パッドを装着するための装着領域、及び前記装着領域の各側縁に沿って配置された一対の第二立体ギャザーを有するおむつ本体と、を備え、
前記吸収パッドが、前記装着領域に装着された状態において、一対の前記立体ギャザーの前記突出部の少なくとも一部が、一対の前記第二立体ギャザーの先端と同じ高さの位置又は一対の前記第二立体ギャザーの先端よりも低い位置に存在する、使い捨ておむつ。
【請求項８】
前記吸収パッドが、前記装着領域に装着された状態において、前記吸収パッドの一対の前記立体ギャザーの先端が、一対の前記第二立体ギャザーの先端と同じ高さの位置又は一対の前記第二立体ギャザーの先端よりも高い位置に存在する、請求項７に記載の使い捨ておむつ。
【請求項９】
請求項１〜６のいずれか一項に記載の吸収パッドと、
前記吸収パッドを装着するための装着領域、及び前記装着領域の各側縁に沿って配置された一対の第二立体ギャザーを有するおむつ本体と、を備え、
前記吸収パッドが、前記装着領域に装着された状態において、前記吸収パッドの一対の前記立体ギャザーの先端が、一対の前記第二立体ギャザーの先端よりも高い位置に存在する、使い捨ておむつ。
【請求項１０】
前記おむつ本体は、複数のシートが第二吸収体を挟持した状態で積層された第二吸収性本体を有し、前記第二吸収性本体に前記装着領域が形成されている、請求項７〜９のいずれか一項に記載の使い捨ておむつ。
【発明の詳細な説明】
【技術分野】
【０００１】
本発明は、吸収パッド、及び使い捨ておむつに関する。
【背景技術】
【０００２】
吸収性物品は、尿などの排泄液を吸収する使い捨ておむつ（例えば、テープ型おむつ、パンツ型おむつ、尿パッド等）や、経血を吸収する生理用ナプキン、おりものを吸収するおりものシートなどで利用されている。
【０００３】
近年、おむつを交換する際の労力を軽減するため、使い捨ておむつと、吸収パッド（「インナーパッド」、「尿パッド」等とも称される。）を併用することが行われている。例えば、使い捨ておむつをそのまま着用者の肌に宛がうのではなく、使い捨ておむつのトップシート側の面に吸収パッドを積層し、吸収パッドが積層された使い捨ておむつを着用者の肌に宛がう。こうすることで、着用者が排泄した場合でも吸収パッドのみを交換すれば足り、使い捨ておむつはそのまま使用することができる。したがって、排泄の度に使い捨ておむつ全体を交換する方法と比較すると、交換が容易であり、介護者の介護労力が軽減される。また、吸収パッドは使い捨ておむつよりも低廉であるため、排泄の度に使い捨ておむつ全体を交換する場合と比較して、コスト的にも有利である。このような吸収パッドは、使い捨ておむつ以外にも、種々の吸収性物品において用いられている。
【０００４】
ところで、吸収パッドは、使い捨ておむつの内面に載置した状態で用いられるため、使い捨ておむつから吸収パッドがずれると、尿漏れの原因となり易い。そこで、従来、吸収パッドは、使い捨ておむつの一対の立体ギャザーの間に挟み込むようにして固定されることがあった。また、吸収パッドにも、吸収パッドからの尿漏れを防止するため、吸収パッドにおける吸収体の各側縁に沿って立体ギャザーを設けることがある。このような立体ギャザーに関する従来技術として、例えば、下記の特許文献１及び２を挙げることができる。
【０００５】
特許文献１には、基壁部から両側に張り出した張出し部を有するＴ字型の立体ギャザーを、吸収体の側縁よりも外方に設けた使い捨ておむつが記載されている。この使い捨ておむつは、Ｔ字型の立体ギャザーの上面を、着用者の大腿部へ面で当接させて、排泄物の漏れを防止しようとするものである。
【０００６】
また、特許文献２には、立体ギャザーを形成しているシート材がギャザー長手方向に沿って外側に折り返されたギャザー起立点を有するとともに、断面く字状に内側に開口を向けたポケットを形成しながら表面側に起立する立体ギャザーが記載されている。
【先行技術文献】
【特許文献】
【０００７】
【特許文献１】特許第３８８６４４６号公報
【特許文献２】特許第４１８７１８０号公報
【発明の概要】
【発明が解決しようとする課題】
【０００８】
上述したように、吸収パッドと使い捨ておむつとのそれぞれに立体ギャザーが設けられていると、使い捨ておむつの内面に吸収パッドを載置した場合、片側に立体ギャザーが２重に配置されることとなる。このように構成されることにより、吸収パッドの立体ギャザーを超えて尿が漏れた場合でも、使い捨ておむつ側の立体ギャザーにて、尿を堰き止めることができる。この際、吸収パッドの立体ギャザーは、その高さが高い方が、尿の塞き止め効果が高い。ただし、使い捨ておむつの立体ギャザーよりも、吸収パッドの立体ギャザーの高さを高くしてしまうと、使い捨ておむつの立体ギャザーと、吸収パッドの立体ギャザーとが重なって配置された際に、吸収パッドの立体ギャザーから漏れた尿が、そのまま使い捨ておむつの立体ギャザーの外に流出してしまう。即ち、２重に立体ギャザーを配置した長所が失われてしまう。また、使い捨ておむつの立体ギャザーと、吸収パッドの立体ギャザーとが重なると、立体ギャザーの素材に腰が出て、着用者の肌と接触した際に、肌荒れを生じてしまうことがある。このため、従来、吸収パッドの立体ギャザーの高さを、使い捨ておむつの立体ギャザーの高さよりも高くすることは困難であると考えられていた。
【０００９】
例えば、特許文献１に記載された立体ギャザーを、吸収パッドの立体ギャザーとして用いたとしても、吸収パッドの立体ギャザーの高さを、使い捨ておむつの立体ギャザーの高さよりも高くしつつ、使い捨ておむつの立体ギャザーと、吸収パッドの立体ギャザーとの重なりを防止することはできない。即ち、立体ギャザーを２重に配置した場合の便益を十分に享受することができない。
【００１０】
また、特許文献２に記載された立体ギャザーを、吸収パッドの立体ギャザーとして用いた場合、吸収パッドの立体ギャザーの高さを高くするためには、吸収パッドの幅方向分の資材を非常に多く使用することとなり、吸収パッドの製造コストが増大するという問題があった。特に、吸収パッドは、排泄の度に交換可能とするために、低廉なものが求められている。
【００１１】
本発明は、前記のような従来技術の有する課題に鑑みてなされたものである。即ち、本発明は、吸収パッドの立体ギャザーの高さを高くしても、使い捨ておむつなどの吸収性物品の立体ギャザーと重なりにくく、防漏性、装着感に優れた吸収パッド、及びこのような吸収パッドを備えた使い捨ておむつを提供する。
【課題を解決するための手段】
【００１２】
本発明によれば、以下の吸収パッド、及び使い捨ておむつを提供する。
【００１３】
［１］  複数のシートが吸収体を挟持した状態で積層された吸収性本体と、前記吸収性本体の前記吸収体の各側縁に沿って配置された一対の立体ギャザーと、を備え、一対の前記立体ギャザーのそれぞれは、前記立体ギャザーの起立線から立ち上がる防漏壁部と、前記防漏壁部の先端部に配置された立体ギャザー伸縮材と、を有し、一対の前記立体ギャザーのそれぞれの前記防漏壁部は、前記吸収体を挟んで互いに向かい合う壁面とは反対側の外側壁面に、当該外側壁面の根元から先端までの一部が、前記立体ギャザーの起立する方向に対して外側方向に向かって突出する突出部を有する、吸収パッド。
【００１４】
［２］  前記突出部は、前記突出部の突端から前記外側壁面の表面までの突出長さが、２〜２０ｍｍである、前記［１］に記載の吸収パッド。
【００１５】
［３］  前記突出部は、前記外側壁面の根元側から先端側に向かう方向の長さが、５〜１００ｍｍである、前記［１］又は［２］に記載の吸収パッド。
【００１６】
［４］  前記突出部は、前記外側壁面の根元から先端までの長さを１００％とした場合に、前記外側壁面の前記根元から１〜９０％の範囲の一部に少なくとも存在する、前記［１］〜［３］のいずれかに記載の吸収パッド。
【００１７】
［５］  前記突出部は、親水性又は撥水性である、前記［１］〜［４］のいずれかに記載の吸収パッド。
【００１８】
［６］  前記吸収性本体の裏面側に、着脱可能な接着部を更に備えた、前記［１］〜［５］のいずれかに記載の吸収パッド。
【００１９】
［７］  前記［１］〜［６］のいずれかに記載の吸収パッドと、前記吸収パッドを装着するための装着領域、及び前記装着領域の各側縁に沿って配置された一対の第二立体ギャザーを有するおむつ本体と、を備え、前記吸収パッドが、前記装着領域に装着された状態において、一対の前記立体ギャザーの前記突出部の少なくとも一部が、一対の前記第二立体ギャザーの先端と同じ高さの位置又は一対の前記第二立体ギャザーの先端よりも低い位置に存在する、使い捨ておむつ。
【００２０】
［８］  前記吸収パッドが、前記装着領域に装着された状態において、前記吸収パッドの一対の前記立体ギャザーの先端が、一対の前記第二立体ギャザーの先端と同じ高さの位置又は一対の前記第二立体ギャザーの先端よりも高い位置に存在する、前記［７］に記載の使い捨ておむつ。
【００２１】
［９］  前記［１］〜［６］のいずれかに記載の吸収パッドと、前記吸収パッドを装着するための装着領域、及び前記装着領域の各側縁に沿って配置された一対の第二立体ギャザーを有するおむつ本体と、を備え、前記吸収パッドが、前記装着領域に装着された状態において、前記吸収パッドの一対の前記立体ギャザーの先端が、一対の前記第二立体ギャザーの先端よりも高い位置に存在する、使い捨ておむつ。
【００２２】
［１０］  前記おむつ本体は、複数のシートが第二吸収体を挟持した状態で積層された第二吸収性本体を有し、前記第二吸収性本体に前記装着領域が形成されている、前記［７］〜［９］のいずれかに記載の使い捨ておむつ。
【発明の効果】
【００２３】
本発明の吸収パッドにおける一対の立体ギャザーのそれぞれの防漏壁部は、吸収体を挟んで互いに向かい合う壁面とは反対側の外側壁面に、当該外側壁面の根元から先端までの一部が、立体ギャザーの起立する方向に対して外側方向に向かって突出する突出部を有する。このような突出部を有することにより、吸収パッドの立体ギャザーの高さを高くしても、使い捨ておむつなどの吸収性物品の立体ギャザーと重なりにくく、防漏性、装着感に優れたものとなる。したがって、使い捨ておむつの内側に、本発明の吸収パッドを載置して使用した場合に、吸収体の両側に、それぞれ立体ギャザーが２重に配置される便益を十分に享受することができる。また、本発明の吸収パッドは、防漏壁部として用いる資材が過剰に増えることがないため、吸収パッドの製造コストの増大を抑制することができる。
【００２４】
また、本発明の使い捨ておむつは、上述した吸収パッドを装着するための装着領域、及び、この装着領域の各側縁に沿って配置された一対の第二立体ギャザーを有するおむつ本体を備えたものであるため、吸収パッドの立体ギャザーと、おむつ本体の第二立体ギャザーとが重なりにくく、防漏性、装着感に優れたものとなる。
【図面の簡単な説明】
【００２５】
【図１】本発明の吸収パッドの実施形態１を模式的に示す平面図である。
【図２】図１に示す吸収パッドのＡ−Ａ’断面を模式的に示す断面図である。
【図３】図２に示す吸収パッドの立体ギャザーを模式的に示す斜視図である。
【図４】本発明の吸収パッドの実施形態２における立体ギャザーを模式的に示す斜視図である。
【図５】本発明の吸収パッドの実施形態３における立体ギャザーの一例を模式的に示す斜視図である。
【図６】本発明の吸収パッドの実施形態４における立体ギャザーの他の例を模式的に示す斜視図である。
【図７】本発明の吸収パッドの実施形態５における立体ギャザーを模式的に示す斜視図である。
【図８】本発明の吸収パッドの実施形態６における立体ギャザーを模式的に示す斜視図である。
【図９】本発明の吸収パッドの実施形態７における立体ギャザーの一例を模式的に示す斜視図である。
【図１０】本発明の吸収パッドの実施形態８における立体ギャザーの他の例を模式的に示す斜視図である。
【図１１】本発明の使い捨ておむつの実施形態を模式的に示す平面図である。
【図１２】図１１に示す使い捨ておむつのＣ−Ｃ’断面を模式的に示す断面図である。
【発明を実施するための形態】
【００２６】
以下、本発明の吸収パッド、及び使い捨ておむつを実施するための形態について具体的に説明する。
【００２７】
［実施形態１］
以下、本発明の吸収パッドの実施形態１について、図面を用いて説明する。図１、図２及び図３に示すように、実施形態１の吸収パッド１００は、複数のシート（例えば、トップシート１８及びバックシート２０）が吸収体２２を挟持した状態で積層された吸収性本体１４と、吸収性本体１４の吸収体２２の各側縁２２ａ，２２ｂに沿って配置された一対の立体ギャザー２６ａ，２６ａと、を備えたものである。一対の立体ギャザー２６ａのそれぞれは、立体ギャザー２６ａの起立線Ｌから立ち上がる防漏壁部２７ａと、この防漏壁部２７ａの先端部に配置された立体ギャザー伸縮材２８と、を有する。更に、一対の立体ギャザー２６ａのそれぞれの防漏壁部２７ａは、外側壁面８２の根元８３から先端８４までの一部が、立体ギャザー２６ａの起立する方向Ｐに対して外側方向に向かって突出する突出部２９ａを有する。なお、防漏壁部２７ａの外側壁面８２とは、一対の立体ギャザー２６ａのそれぞれが、吸収体２２を挟んで互いに向かい合う壁面８１とは反対側の壁面（外側壁面８２）のことである。
【００２８】
実施形態１の吸収パッド１００は、このような突出部２９ａを有することにより、吸収パッド１００の立体ギャザー２６ａの高さを高くしても、使い捨ておむつなどの吸収性物品の立体ギャザーと重なりにくく、防漏性、装着感に優れたものとなる。したがって、使い捨ておむつの内側に、実施形態１の吸収パッド１００を載置して使用した場合に、吸収体２２の両側に、それぞれ立体ギャザー（即ち、吸収パッド１００の立体ギャザー２６ａと、使い捨ておむつの立体ギャザー）が２重に配置される便益を十分に享受することができる。また、実施形態１の吸収パッド１００は、防漏壁部２７ａとして用いる資材が過剰に増えることがないため、吸収パッド１００の製造コストの増大を抑制することができる。
【００２９】
ここで、図１は、本発明の吸収パッドの実施形態１を模式的に示す平面図である。図２は、図１に示す吸収パッドのＡ−Ａ’断面を模式的に示す断面図である。図３は、図２に示す吸収パッドの立体ギャザーを模式的に示す斜視図である。図３は、図２に示す吸収パッドの立体ギャザーを、図３の符号Ｂの矢印の示す方向に見た状態を示している。
【００３０】
本発明において、「立体ギャザー２６ａの起立する方向Ｐ」とは、防漏壁部２７ａの根元８３側から先端８４側に向かう方向であって、当該防漏壁部２７ａの外側壁面８２に沿う方向のことである。また、突出部２９ａは、「立体ギャザー２６ａの起立する方向Ｐ」に対して、吸収パッド１００の外側方向（例えば、図２に示す断面において、「方向Ｐ」に対して交差する方向のうち、吸収パッド１００の外側に向かう方向）に向かって突出するように設けられている。このように、立体ギャザー２６ａの起立する方向Ｐと、突出部２９ａの突出する方向とが一致しないため、使い捨ておむつの立体ギャザーが外側から覆いかぶさった際に、突出部２９ａによって、立体ギャザー同士の重なりを有効に防止することができる。
【００３１】
（１−１．立体ギャザー）
立体ギャザー２６ａは、着用者の排泄した尿などがおむつ外部へ漏出することを防止するための防漏壁として機能する部材である。立体ギャザー２６ａは、トップシート１８やバックシート２０とは異なるサイドシートにより形成されることとしてもよい。例えば、サイドシートの一端側をトップシート１８の表面に固着し、他端側に立体ギャザー伸縮材２８を伸長状態で配設する。これにより、立体ギャザー２６ａは、立体ギャザー伸縮材２８の収縮力により起立し、おむつの脚周り開口部等から尿などの液体が漏出する横漏れを有効に防止することができる。上述したサイドシートにより形成される壁面が、防漏壁部２７ａとなる。
【００３２】
突出部２９ａは、外側壁面８２の根元８３から先端８４までの一部が、立体ギャザー２６ａの起立する方向Ｐに対して外側方向に向かって突出するものであれば、その構成については特に制限はない。突出部２９ａは、防漏壁部２７ａの外側壁面８２に、突出部２９ａを形成するための部材を配設することによって形成してもよい。また、突出部２９ａは、防漏壁部２７ａの外側壁面８２を各種の加工処理により、外側方向に向かって突出させたものであってもよい。図１〜図３においては、突出部２９ａが、凹凸加工したシート２９ａａを、外側壁面８２に貼り付けることによって形成されている。凹凸加工としては、例えば、エンボス加工を挙げることができるが、なお、凹凸加工は、上述したエンボス加工に限定されることはない。
【００３３】
突出部２９ａは、突出部２９ａの突端から外側壁面８２の表面までの突出長さが、２〜２０ｍｍであることが好ましく、５〜１０ｍｍであることが更に好ましい。以下、「突出部２９ａの、突出部２９ａの突端から外側壁面８２の表面までの突出長さ」を、単に「突出部２９ａの突出長さ」ということがある。突出部２９ａの突出長さを２〜２０ｍｍとすることで、使い捨ておむつの内側に吸収パッド１００を載置して用いた際に、突出部２９ａが支えとなり、吸収パッド１００の立体ギャザー２６ａと使い捨ておむつの立体ギャザーとの重なりを有効に防止することができる。突出部２９ａの突出長さが２ｍｍ未満であると、突出部２９ａによって使い捨ておむつの立体ギャザーを支えた状態において、２つの立体ギャザー相互の間隔を十分に確保できないことがある。突出部２９ａの突出長さが長くなりすぎると、突出部２９ａが下に垂れ下がり、立体ギャザーの下部に付着してしまうことがある。特に、突出部２９ａが濡れた場合に、自重で垂れ下がり易くなることがある。上記のように突出部２９ａが立体ギャザーの下部に付着してしまうと、立体ギャザーの起立状態が悪化したり、立体ギャザーが内向きに倒れてしまったりすることがある。また、突出部２９ａの突出長さが長くなりすぎると、突起部２９ａが折れやすくなることがある。更に、おむつを構成する他の部材などが突出部２９ａと接触し、この突起部２９ａの先端側に力が加わると、立体ギャザーの向きに影響が出やすくなることがある。
【００３４】
突出部２９ａは、外側壁面８２の根元８３側から先端８４側に向かう方向の長さが、５〜１００ｍｍであることが好ましく、１０〜５０ｍｍであることが更に好ましい。以下、「突出部２９ａの、外側壁面８２の根元８３側から先端８４側に向かう方向の長さ」を、単に「突出部２９ａの長さ」ということがある。突出部２９ａの長さを５〜１００ｍｍとすることにより、使い捨ておむつの内側に吸収パッド１００を載置して用いた際に、突出部２９ａが、使い捨ておむつの立体ギャザーに対する支えとして良好に機能する。例えば、突出部２９ａの長さが短すぎる（５ｍｍ未満である）と、使い捨ておむつの立体ギャザーを突出部２９ａによって支え難くなることがある。また、突出部２９ａの長さは１００ｍｍ未満であれば、上述した支えとしての十分な機能を備えたものとなる。ただし、突出部２９ａの長さが過剰に長いと、製造コストの観点からあまり好ましくない。
【００３５】
突出部２９ａは、外側壁面８２の根元から先端までの長さ（突出部２９ａの長さ）を１００％とした場合に、外側壁面８２の根元から１〜９０％の範囲の一部に少なくとも存在することが好ましい。例えば、吸収パッド１００の立体ギャザー２６ａの防漏性を向上させるためには、起立線Ｌからの高さを高くすることが有効であるが、突出部２９ａが、外側壁面８２の根元から９０％を超える範囲のみにしか存在しない場合などには、突出部２９ａが、使い捨ておむつの立体ギャザーと接触しない高さに設けられてしまうことがある。すなわち、本実施形態における吸収パッド１００においては、吸収パッド１００を使い捨ておむつの内側に載置した状態、及び当該使い捨ておむつを着用者が着用した状態において、突出部２９ａが、使い捨ておむつの立体ギャザーの外側壁面と接触可能な高さに設けられていることが好ましい。
【００３６】
突出部２９ａは、親水性又は撥水性であることが好ましい。実施形態１の吸収パッド１００においては、凹凸加工したシート２９ａａを、外側壁面８２に貼り付けることによって突出部２９ａを設けている。したがって、シート２９ａａは、親水性のシートであってもよいし、撥水性のシートであってもよい。突出部２９ａが親水性であると、吸収パッド１００の立体ギャザー２６ａを乗り越えて尿が漏れ出した場合に、突出部２９ａによって、漏れ出した尿を一時的に貯留することができる。一方、突出部２９ａが撥水性であると、吸収パッド１００の立体ギャザー２６ａを乗り越えて尿が漏れ出した場合に、漏れ出した尿が立体ギャザー２６ａの外側壁面８２を伝って、吸収パッド１００の立体ギャザー２６ａと使い捨ておむつの立体ギャザーとの間に速やかに流れ落ちる。したがって、立体ギャザー２６ａの高さを高くしても、漏れ出した尿が着用者に接触し難くなる。
【００３７】
また、凹凸加工したシート２９ａａを、外側壁面８２に貼り付ける際には、外側壁面８２に対して、間欠的に貼り付けてもよいし、連続的に貼り付けてもよい。なお、シート２９ａａを間欠的に貼り付ける場合には、吸収パッド１００の一端から他端に向かう方向に、間欠的に貼り付けてもよいし、立体ギャザー２６ａの起立線Ｌからの高さ方向に、間欠的に貼り付けてもよい。間欠的に貼り付けることにより、使用するシート２９ａａの量を削減することができる。また、間欠部分を通過して、立体ギャザー２６ａを乗り越えた尿が流れ落ちやすくなる。一方、連続的に貼り付けることにより、シート２９ａａを貼り付ける工数を削減することができる。また、突出部２９ａが親水性である場合に、立体ギャザー２６ａを乗り越えた尿を一時的に貯留し易くなる。
【００３８】
立体ギャザー２６ａは、吸収体２２の各側縁２２ａ，２２ｂに沿って配置されている。ここで「吸収体の各側縁に沿って」とは、概ね吸収体の側縁と同方向に付設されていることを意味する。ただし、吸収体の側縁は、吸収パッド１００の外縁形状と、同一又は相似形状でなく、例えば、使い捨ておむつの脚周り開口部に沿って曲線的に形成される場合もある。したがって、必ずしも吸収体の側縁に接するように付設されている必要はなく、更に、吸収体の側縁と同一の軌跡を描くように付設されている必要もない。通常は、吸収体の形状に拘らず、直線的に立体ギャザーを配置することが多い。すなわち、立体ギャザー２６ａは、吸収体２２の各側縁２２ａ，２２ｂ側に配置され、立体的に起立可能な防漏壁となるものであればよい。
【００３９】
立体ギャザー２６ａは、吸収体２２の両側縁２２ａ，２２ｂであって、吸収パッド１００の一端から他端に亘る長さ方向全域に形成されることが好ましい。
【００４０】
立体ギャザー２６ａ（防漏壁部２７ａ）を構成するシート材としては、立体ギャザー２６ａの防漏性を向上させるという観点から撥水性材料を用いることが好ましい。撥水性材料としては、スパンボンドやカードエンボス等の不織布を用いてもよいが、耐水圧が高いという理由から、ＳＭＳ（スパンボンド／メルトブロー／スパンボンド）、ＳＭＭＳ（スパンボンド／メルトブロー／メルトブロー／スパンボンド）等の不織布を用いることが好ましい。
【００４１】
立体ギャザー２６ａは、撥水性シートの層間に伸縮材（立体ギャザー伸縮材２８）を挟み込んで固定し、その立体ギャザー伸縮材２８の収縮力によってギャザー（防漏壁部２７ａ）を形成したもの等を好適に用いることができる。立体ギャザー伸縮材２８は、例えば、撥水性シートの折り返し部分に挟み込んで固定することができる。
【００４２】
（１−２．吸収性本体）
吸収性本体１４は、複数のシートが吸収体２２を挟持した状態で積層されたものである。実施形態１の吸収パッド１００においては、トップシート１８とバックシート２０とが吸収体２２を挟持した状態で積層された吸収性本体１４を備えている。すなわち、吸収体２２は、着用者の肌に当接する面（肌当接面）側から液透過性のトップシート１８によって被覆され、反対側の肌非当接面側から液不透過性のバックシート２０によって被覆されている。したがって、尿などの液体は、トップシート１８を透過して、吸収体２２に吸収保持され、液透過性のバックシート２０によって外部への漏出が阻止される。
【００４３】
（１−３．吸収体）
吸収体２２は、着用者の尿を吸収し保持するための部材である。吸収体２２は、着用者の尿や体液を吸収し保持するために、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；「ＳＡＰ」）、親水性シート等を採用することができる。フラッフパルプの例は、木材パルプや非木材パルプを綿状に解繊したものである。高吸水性ポリマーの例は、ポリアクリル酸ナトリウムである。親水性シートとしては、例えば、ティシュ、吸収紙、親水化処理を行った不織布を用いることができる。
【００４４】
吸収体２２は、トップシート１８とバックシート２０の間に挟み込まれ、両シートの周縁部が封着されることによって、トップシート１８とバックシート２０との間に封入される。吸収体２２の形状は、図示された形状に制限されるものではなく、例えば、矩形状、ひょうたん型、Ｔ字型とすることができる。図１〜図３に示す吸収パッド１００では、吸収体２２として矩形状の吸収体を採用している。
【００４５】
（１−４．トップシート）
トップシート１８は、吸収体２２の肌当接面側を被覆するように配置される液透過性のシートである。トップシート１８は、尿などの液体を、その下面側に配置された吸収体２２に浸透させる。
【００４６】
トップシート１８を構成する液透過性材料として、例えば、織布、不織布、多孔性フィルを採用することができる。特に、ポリプロピレン、ポリエチレン、ポリエステル、ナイロンのような熱可塑性樹脂からなる不織布に親水化処理を施したものを用いることが好ましい。
【００４７】
トップシート１８は、単一のシート材によって構成されていてもよいが、複数のシート材によって構成されていてもよい。例えば、吸収体の表面部に配置されるシートと、サイドフラップの部分に配置されるシートを組み合わせた構成であってもよい。
【００４８】
（１−５．バックシート）
バックシート２０は、吸収体２２を肌非当接面側から被覆するように配置される液不透過性のシートである。バックシート２０は、吸収体２２により保持されている液体が、吸収パッド１００の外に漏洩してしまうことを防止する。
【００４９】
バックシート２０を構成する液不透過性材料としては、例えば、ポリエチレン等の樹脂からなる液不透過性フィルム等を採用することができる。微多孔性ポリエチレンフィルムを用いてもよい。
【００５０】
また、図示は省略するが、吸収性本体の裏面側（すなわち、バックシートの裏面側）に、着脱可能な接着部を更に備えていてもよい。このような接着部によって、吸収パッドを使い捨ておむつなどの吸収性物品に載置する際に、吸収パッドを所定の位置に固定してもよい。接着部としては、粘着テープ、メカニカルファスナー、ホットメルト等を挙げることができる。接着部の大きさや配置する位置については、吸収パッドを使い捨ておむつなどの内面に固定することができ、吸収パッドの位置ズレを防止することができる程度の結合力が得られるものであれば特に制限はない。
【００５１】
［実施形態２］
以下、本発明の吸収パッドの実施形態２について、図４を参照しつつ説明する。図４は、本発明の吸収パッドの実施形態２における立体ギャザーを模式的に示す斜視図である。なお、実施形態２の吸収パッド２００における吸収性本体は、図１に示す実施形態１の吸収パッド１００の吸収性本体１４と同様に構成されたものであるため、説明を省略する。また、実施形態２の吸収パッド２００における立体ギャザー２６ｂは、以下に説明する以外の構成については、図１に示す実施形態１の吸収パッド１００の立体ギャザー２６ａと同様に構成されていることが好ましい。
【００５２】
実施形態２の吸収パッド２００は、吸収性本体（図示せず）の吸収体（図示せず）の各側縁に沿って配置された一対の立体ギャザー２６ｂを備えている。図４に示すように、立体ギャザー２６ｂは、立体ギャザー２６ｂの起立線から立ち上がる防漏壁部２７ｂと、この防漏壁部２７ｂの先端部に配置された立体ギャザー伸縮材２８と、を有する。そして、立体ギャザー２６ｂの防漏壁部２７ｂは、吸収体を挟んで互いに向かい合う壁面とは反対側の外側壁面８２に、当該外側壁面８２の根元８３から先端８４までの一部が、立体ギャザー２６ｂの起立する方向に対して外側方向に向かって突出する突出部２９ｂを有する。
【００５３】
実施形態２の吸収パッド２００においては、突出部２９ｂが、プリーツ加工したシート２９ｂｂを、外側壁面８２に貼り付けることによって形成されている。実施形態２の吸収パッド２００においては、プリーツ加工によって、外側壁面８２の根元８３から先端８４に向かう方向に、４つの襞状の突出部２９ｂが横縞状に形成されている。「突出部２９ｂの突出長さ」、「突出部２９ｂの長さ」、及び「突出部２９ｂの配設位置」などは、図１に示す実施形態１の吸収パッド１００の立体ギャザー２６ａと同様に構成されていることが好ましい。
【００５４】
突出部２９ｂは、親水性又は撥水性であることが好ましい。すなわち、プリーツ加工したシート２９ｂｂは、親水性のシートであってもよいし、撥水性のシートであってもよい。また、プリーツ加工したシート２９ｂｂを、外側壁面８２に貼り付ける際には、外側壁面８２に対して、間欠的に貼り付けてもよいし、連続的に貼り付けてもよい。上述した各種構成を採用することにより、実施形態１の吸収パッドと同様の作用効果を得ることができる。
【００５５】
［実施形態３］
以下、本発明の吸収パッドの実施形態３について、図５を参照しつつ説明する。図５は、本発明の吸収パッドの実施形態３における立体ギャザーを模式的に示す斜視図である。なお、実施形態３の吸収パッド３００における吸収性本体は、図１に示す実施形態１の吸収パッド１００の吸収性本体１４と同様に構成されたものであるため、説明を省略する。また、実施形態３の吸収パッド３００における立体ギャザー２６ｃは、以下に説明する以外の構成については、図１に示す実施形態１の吸収パッド１００の立体ギャザー２６ａと同様に構成されていることが好ましい。
【００５６】
実施形態３の吸収パッド３００は、吸収性本体（図示せず）の吸収体（図示せず）の各側縁に沿って配置された一対の立体ギャザー２６ｃを備えている。図５に示すように、立体ギャザー２６ｃは、立体ギャザー２６ｃの起立線から立ち上がる防漏壁部２７ｃと、この防漏壁部２７ｃの先端部に配置された立体ギャザー伸縮材２８と、を有する。そして、立体ギャザー２６ｃの防漏壁部２７ｃは、吸収体を挟んで互いに向かい合う壁面とは反対側の外側壁面８２に、当該外側壁面８２の根元８３から先端８４までの一部が、立体ギャザー２６ｃの起立する方向に対して外側方向に向かって突出する突出部２９ｃを有する。
【００５７】
実施形態３の吸収パッド３００においては、突出部２９ｃが、プリーツ加工したシート２９ｃｃを、外側壁面８２に貼り付けることによって形成されている。ただし、実施形態３の吸収パッド３００においては、プリーツ加工によって、吸収パッド３００の一端から他端に向かう方向に、複数の襞状の突出部２９ｃが縦縞状に形成されている。すなわち、プリーツ加工によって形成された襞状の突出部２９ｃは、立体ギャザー２６ｃの起立する方向に沿って形成されている。「突出部２９ｃの突出長さ」、「突出部２９ｃの長さ」、及び「突出部２９ｃの配設位置」などは、図１に示す実施形態１の吸収パッド１００の立体ギャザー２６ａと同様に構成されていることが好ましい。
【００５８】
突出部２９ｃは、親水性又は撥水性であることが好ましい。すなわち、プリーツ加工したシート２９ｃｃは、親水性のシートであってもよいし、撥水性のシートであってもよい。また、プリーツ加工したシート２９ｃｃを、外側壁面８２に貼り付ける際には、外側壁面８２に対して、間欠的に貼り付けてもよいし、連続的に貼り付けてもよい。上述した各種構成を採用することにより、実施形態１の吸収パッドと同様の作用効果を得ることができる。
【００５９】
［実施形態４］
以下、本発明の吸収パッドの実施形態４について、図６を参照しつつ説明する。図６は、本発明の吸収パッドの実施形態４における立体ギャザーを模式的に示す斜視図である。なお、実施形態４の吸収パッド４００における吸収性本体は、図１に示す実施形態１の吸収パッド１００の吸収性本体１４と同様に構成されたものであるため、説明を省略する。また、実施形態４の吸収パッド４００における立体ギャザー２６ｄは、以下に説明する以外の構成については、図１に示す実施形態１の吸収パッド１００の立体ギャザー２６ａと同様に構成されていることが好ましい。
【００６０】
実施形態４の吸収パッド４００は、吸収性本体（図示せず）の吸収体（図示せず）の各側縁に沿って配置された一対の立体ギャザー２６ｄを備えている。図６に示すように、立体ギャザー２６ｄは、立体ギャザー２６ｄの起立線から立ち上がる防漏壁部２７ｄと、この防漏壁部２７ｄの先端部に配置された立体ギャザー伸縮材２８と、を有する。そして、立体ギャザー２６ｄの防漏壁部２７ｄは、吸収体を挟んで互いに向かい合う壁面とは反対側の外側壁面８２に、当該外側壁面８２の根元８３から先端８４までの一部が、立体ギャザー２６ｄの起立する方向に対して外側方向に向かって突出する突出部２９ｄを有する。
【００６１】
実施形態４の吸収パッド４００においては、突出部２９ｄが、柱状の吸収性素材２９ｄｄを外側壁面８２に貼り付けることによって形成されている。吸収性素材２９ｄｄとしては、発泡ウレタンなどを挙げることができる。実施形態４の吸収パッド４００においては、吸収パッド４００の一端から他端に向かう方向に、吸収性素材２９ｄｄを「連続的」に貼り付けることによって、突出部２９ｄを形成している。このように構成することによって、吸収パッド４００の立体ギャザー２６ｄを乗り越えて尿が漏れ出した場合に、突出部２９ｄによって、漏れ出した尿を吸収することができる。吸収性素材２９ｄｄとして発泡ウレタンなどを用いる場合には、空隙率の高いものを用いることが好ましい。空隙率が高いと、漏れ出した尿をより多く吸収することができる。
【００６２】
［実施形態５］
以下、本発明の吸収パッドの実施形態５について、図７を参照しつつ説明する。図７は、本発明の吸収パッドの実施形態５における立体ギャザーを模式的に示す斜視図である。なお、実施形態５の吸収パッド５００における吸収性本体は、図１に示す実施形態１の吸収パッド１００の吸収性本体１４と同様に構成されたものであるため、説明を省略する。また、実施形態５の吸収パッド５００における立体ギャザー２６ｅは、以下に説明する以外の構成については、図１に示す実施形態１の吸収パッド１００の立体ギャザー２６ａと同様に構成されていることが好ましい。
【００６３】
実施形態５の吸収パッド５００は、吸収性本体（図示せず）の吸収体（図示せず）の各側縁に沿って配置された一対の立体ギャザー２６ｅを備えている。図７に示すように、立体ギャザー２６ｅは、立体ギャザー２６ｅの起立線から立ち上がる防漏壁部２７ｅと、この防漏壁部２７ｅの先端部に配置された立体ギャザー伸縮材２８と、を有する。そして、立体ギャザー２６ｅの防漏壁部２７ｅは、吸収体を挟んで互いに向かい合う壁面とは反対側の外側壁面８２に、当該外側壁面８２の根元８３から先端８４までの一部が、立体ギャザー２６ｅの起立する方向に対して外側方向に向かって突出する突出部２９ｅを有する。
【００６４】
実施形態５の吸収パッド５００においては、突出部２９ｅが、柱状の吸収性素材２９ｅｅを外側壁面８２に貼り付けることによって形成されている。吸収性素材２９ｅｅとしては、発泡ウレタンなどを挙げることができる。実施形態５の吸収パッド５００においては、吸収パッド５００の一端から他端に向かう方向に、吸収性素材２９ｅｅを「間欠的」に貼り付けることによって、突出部２９ｅを形成している。このように構成することによって、吸収パッド５００の立体ギャザー２６ｅを乗り越えて尿が漏れ出した場合に、漏れ出した尿の一部を突出部２９ｅによって吸収しつつ、残りの尿が、突出部２９ｅ相互の隙間を伝って、吸収パッド５００の立体ギャザー２６ｅと使い捨ておむつの立体ギャザーとの間に流れ落ちる。このため、例えば、少量の尿が立体ギャザー２６ｅを乗り越えた場合には、突出部２９ｅによって尿を吸収し、例えば、大量の尿が立体ギャザー２６ｅを乗り越えた場合には、突出部２９ｅによって吸収できない尿が速やかに流れ落ち、適宜、使い捨ておむつの吸収体によって吸収させることができる。吸収性素材２９ｅｅとして発泡ウレタンなどを用いる場合には、空隙率の高いものを用いることが好ましい。空隙率が高いと、漏れ出した尿をより多く吸収することができる。
【００６５】
［実施形態６］
以下、本発明の吸収パッドの実施形態６について、図８を参照しつつ説明する。図８は、本発明の吸収パッドの実施形態６における立体ギャザーを模式的に示す斜視図である。なお、実施形態６の吸収パッド６００における吸収性本体は、図１に示す実施形態１の吸収パッド１００の吸収性本体１４と同様に構成されたものであるため、説明を省略する。また、実施形態６の吸収パッド６００における立体ギャザー２６ｆは、以下に説明する以外の構成については、図１に示す実施形態１の吸収パッド１００の立体ギャザー２６ａと同様に構成されていることが好ましい。
【００６６】
実施形態６の吸収パッド６００は、吸収性本体（図示せず）の吸収体（図示せず）の各側縁に沿って配置された一対の立体ギャザー２６ｆを備えている。図８に示すように、立体ギャザー２６ｆは、立体ギャザー２６ｆの起立線から立ち上がる防漏壁部２７ｆと、この防漏壁部２７ｆの先端部に配置された立体ギャザー伸縮材２８と、を有する。そして、立体ギャザー２６ｆの防漏壁部２７ｆは、吸収体を挟んで互いに向かい合う壁面とは反対側の外側壁面８２に、当該外側壁面８２の根元８３から先端８４までの一部が、立体ギャザー２６ｆの起立する方向に対して外側方向に向かって突出する突出部２９ｆを有する。
【００６７】
実施形態６の吸収パッド６００においては、突出部２９ｆが、立体ギャザー２６ｆの防漏壁部２７ｆの一部を折り曲げて形成されている。また、防漏壁部２７ｆを折り曲げた根元部分には、突出部２９ｆの垂れ下がりを防止するために、接着部３０を設けている。この接着部３０を設けることによって、突出部２９ｆが、立体ギャザー２６ｆの起立する方向に対して外側方向に向かって突出する。接着部３０は、防漏壁部２７ｆを折り曲げた根元部分の、吸収パッド６００の一端側、及び他端側に少なくとも設けられていることが好ましい。すなわち、突出部２９ｆの少なくとも両端が、接着部３０によって保持されることにより、突出部２９ｆの起立状態（突出状態）が良好に確保される。
【００６８】
接着部３０は、突出部２９ｆの垂れ下がりを防止することができる程度に、例えば、接着剤その他の手段により、突出部２９ｆ（すなわち、折り曲げた防漏壁部２７ｆ）を固定するものである。固定方法としては、例えば、ホットメルト接着剤、その他の流動性の高い接着剤を用いた接着であってもよいし、ヒートシールのような熱や超音波等による溶着であってもよい。
【００６９】
また、例えば、突出部２９ｆの一部に、防漏壁部の先端側から根元側に連通する連通孔（図示せず）やスリット（図示せず）を形成してもよい。立体ギャザー２６ｆを乗り越えて尿が漏れ出した場合に、突出部２９ｆに形成された連通孔やスリットを通過して、吸収パッド６００の立体ギャザー２６ｆと使い捨ておむつの立体ギャザーとの間に流れ落ちる。
【００７０】
また、図示は省略するが、例えば、突出部２９ｆの先端部分に、突出部用の伸縮材を配置してもよい。突出部用の伸縮材の本数について制限はなく、１本以上であればよい。このような突出部用の伸縮材を配置することにより、突出部用の伸縮材の収縮力により、突出部２９ｆの起立状態（突出状態）が更に確保されやすくなる。ただし、突出部用の伸縮材の伸長率よりも、立体ギャザー伸縮材２８の伸長率の方が大であることが好ましい。突出部用の伸縮材の伸長率を大きくし過ぎると、立体ギャザー伸縮材２８の収縮力が相対的に弱くなり、立体ギャザー２６ｆが起立し難くなることがある。
【００７１】
［実施形態７］
以下、本発明の吸収パッドの実施形態７について、図９を参照しつつ説明する。図９は、本発明の吸収パッドの実施形態７における立体ギャザーを模式的に示す斜視図である。なお、実施形態７の吸収パッド７００における吸収性本体は、図１に示す実施形態１の吸収パッド１００の吸収性本体１４と同様に構成されたものであるため、説明を省略する。また、実施形態７の吸収パッド７００における立体ギャザー２６ｇは、以下に説明する以外の構成については、図１に示す実施形態１の吸収パッド１００の立体ギャザー２６ａと同様に構成されていることが好ましい。
【００７２】
実施形態７の吸収パッド７００は、吸収性本体（図示せず）の吸収体（図示せず）の各側縁に沿って配置された一対の立体ギャザー２６ｇを備えている。図９に示すように、立体ギャザー２６ｇは、立体ギャザー２６ｇの起立線から立ち上がる防漏壁部２７ｇと、この防漏壁部２７ｇの先端部に配置された立体ギャザー伸縮材２８と、を有する。そして、立体ギャザー２６ｇの防漏壁部２７ｇは、吸収体を挟んで互いに向かい合う壁面とは反対側の外側壁面８２に、当該外側壁面８２の根元８３から先端８４までの一部が、立体ギャザー２６ｇの起立する方向に対して外側方向に向かって突出する突出部２９ｇを有する。
【００７３】
実施形態７の吸収パッド７００においては、突出部２９ｇが、立体ギャザー２６ｇの防漏壁部２７ｇの一部を凹凸加工することによって形成されている。防漏壁部２７ｇに施す凹凸加工は、防漏壁部２７ｇの表面の一部が外側に向かって突出する加工であればよく、例えば、プリーツ加工、エンボス加工を挙げることができる。実施形態７の吸収パッド７００においては、防漏壁部２７ｇにプリーツ加工を施している。「突出部２９ｇの突出長さ」、「突出部２９ｇの長さ」、及び「突出部２９ｇの配設位置」などは、図１に示す実施形態１の吸収パッド１００の立体ギャザー２６ａと同様に構成されていることが好ましい。
【００７４】
［実施形態８］
以下、本発明の吸収パッドの実施形態８について、図１０を参照しつつ説明する。図１０は、本発明の吸収パッドの実施形態８における立体ギャザーを模式的に示す斜視図である。なお、実施形態８の吸収パッド８００における吸収性本体は、図１に示す実施形態１の吸収パッド１００の吸収性本体１４と同様に構成されたものであるため、説明を省略する。また、実施形態８の吸収パッド８００における立体ギャザー２６ｈは、以下に説明する以外の構成については、図１に示す実施形態１の吸収パッド１００の立体ギャザー２６ａと同様に構成されていることが好ましい。
【００７５】
実施形態８の吸収パッド８００は、吸収性本体（図示せず）の吸収体（図示せず）の各側縁に沿って配置された一対の立体ギャザー２６ｈを備えている。実施形態８の吸収パッド８００においては、これまでに説明した実施形態７の吸収パッドと同様に、突出部２９ｈが、立体ギャザー２６ｈの防漏壁部２７ｈの一部を凹凸加工することによって形成されている。実施形態８の吸収パッド８００においては、防漏壁部２７ｈにエンボス加工を施している以外は、実施形態７の吸収パッドと同様に構成されている。
【００７６】
［吸収パッドの製造方法］
以下、本発明の吸収パッドの製造方法の全体の流れを説明する。ここでは、図１〜図３に示す吸収パッド１００の製造方法について説明するが、吸収パッドの製造方法については、以下の製造方法に限定されることはない。
【００７７】
まず、バックシート２０の材料となる長尺のバックシート材の上面に、吸収体２２を載置する。そして、これらの更に上面に、トップシート１８の材料となる長尺のトップシート材を載置する。これにより、吸収性本体が連続して連なる吸収性本体中間体が作製される。
【００７８】
吸収性本体中間体を作製する際には、トップシート材として、センターシートに相当するトップシート材と、サイドシートに相当するトップシート材の２種類を使用することが好ましい。サイドシートに相当するシート材には折り返し部分を設けることによって、立体ギャザー２６ａの防漏壁部２７ａを形成する。
【００７９】
また、防漏壁部２７ａの突出部２９ａを形成するためのシートを用意し、用意したシートに凹凸加工を施して、凹凸加工したシート２９ａａを作製する。この凹凸加工したシート２９ａａを、トップシート材のサイドシートに貼り付けることにより、防漏壁部２７ａの一部に突出部２９ａを設ける。なお、突出部を設ける方法については、凹凸加工したシート２９ａａを貼り付ける方法に限定されることなく、これまでに説明した実施形態１〜８の吸収パッドの構成に合わせて、適宜、変更することができる。
【００８０】
次に、サイドシートによって形成された立体ギャザー２６ａの防漏壁部２７ａの先端部分に、立体ギャザー伸縮材２８を伸張状態で固定する。防漏壁部２７ａの先端部分は、立体ギャザー伸縮材２８を覆うように折り返してもよい。その後、一対の立体ギャザー２６ａが形成された吸収性本体中間体を、所定の長さで切断して、本発明の吸収パッドを製造する。
【００８１】
［実施形態９］
次に、本発明の使い捨ておむつの実施形態（実施形態９）について説明する。実施形態９の使い捨ておむつは、これまでに説明した本発明の吸収パッドと、この吸収パッドを装着するための装着領域、及び装着領域の各側縁に沿って配置された一対の第二立体ギャザーを有するおむつ本体と、を備えた使い捨ておむつである。以下、実施形態９の使い捨ておむつとして、実施形態１の吸収パッドと、上記おむつ本体と、を備えた使い捨ておむつについて、図面を用いて説明する。ここで、図１１は、本発明の使い捨ておむつの実施形態を模式的に示す平面図である。図１２は、図１１に示す使い捨ておむつのＣ−Ｃ’断面を模式的に示す断面図である。
【００８２】
図１１及び図１２に示すように、実施形態９の使い捨ておむつ９００は、吸収パッド１００と、吸収パッド１００を装着するための装着領域９１、及び装着領域９１の各側縁に沿って配置された一対の第二立体ギャザー９６を有するおむつ本体９０と、を備えたものである。ここで、吸収パッド１００は、図１〜図３に示される吸収パッド１００（実施形態１の吸収パッド）と同様に構成されたものであり、実施形態１の吸収パッド１００と同一の構成要素については、同一の符号を付し、その説明を省略することがある。また、以下、吸収パッド１００の一対の立体ギャザー２６ａのことを、「第一立体ギャザー２６ａ」ということがある。すなわち、吸収パッド１００に設けられた立体ギャザーを「第一立体ギャザー２６ａ」とし、おむつ本体９０に設けられた立体ギャザーを「第二立体ギャザー９６」とする。
【００８３】
一対の第二立体ギャザー９６は、着用者の排泄した尿などがおむつ本体９０の外部へ漏出することを防止するための防漏壁として機能する部材である。一対の第二立体ギャザー９６のそれぞれは、第二立体ギャザー９６の起立線から立ち上がる第二防漏壁部９７と、第二防漏壁部９７の先端部に配置された第二立体ギャザー伸縮材９８と、を有する。そして、一対の第二立体ギャザー９６の間の領域が、装着領域９１となる。すなわち、吸収パッド１００は、一対の第二立体ギャザー９６の間に載置される。
【００８４】
実施形態９の使い捨ておむつ９００は、吸収パッド１００が装着領域９１に装着された状態において、吸収パッド１００の一対の第一立体ギャザー２６ａの突出部２９ａの少なくとも一部が、一対の第二立体ギャザー９６の先端９４と同じ高さの位置又は一対の第二立体ギャザー９６の先端９４よりも低い位置に存在する。別言すれば、第二立体ギャザー９６の先端９４が、第一立体ギャザー２６ａの突出部２９ａの一部と同じ高さ、又は第一立体ギャザー２６ａの突出部２９ａよりも高い位置に存在する。このように構成することによって、第一立体ギャザー２６ａの突出部２９ａが、第二立体ギャザー９６に対する支えとなり、第一立体ギャザー２６ａと第二立体ギャザー９６との重なりを有効に防止することができる。したがって、第一立体ギャザー２６ａを乗り越えて尿が漏れ出したとして、第二立体ギャザー９６によって尿漏れを有効に防止することができる。
【００８５】
また、使い捨ておむつ９００においては、吸収パッド１００が装着領域９１に装着された状態において、吸収パッド１００の一対の第一立体ギャザー２６ａの先端８４が、一対の第二立体ギャザー９６の先端９４と同じ高さの位置又は一対の第二立体ギャザー９６の先端９４よりも高い位置に存在することが好ましい。このように構成することによって、第一立体ギャザー２６ａが最初の防漏堤として機能し、かつ、第二立体ギャザー９６が２番面の防漏堤として機能する。したがって、立体ギャザーを２重に配置した場合の便益を十分に享受することができる。
【００８６】
ここで、「第一立体ギャザー２６ａの先端８４の位置（別言すれば、高さ）」は、吸収パッド１００がおむつ本体９０の装着領域９１に装着された状態におけるものである。したがって、吸収パッド１００の吸収性本体１４の高さの分だけ、第二立体ギャザー９６の起立線よりも高い位置から第一立体ギャザー２６ａが起立していたとしても、装着状態（別言すれば、吸収パッド１００を載置した状態）において、第一立体ギャザー２６ａの先端８４と、第二立体ギャザー９６の先端９４との高さを比較するものとする。また、同様に、「第一立体ギャザー２６ａの突出部２９ａの位置（別言すれば、高さ）」も、吸収パッド１００がおむつ本体９０の装着領域９１に装着された状態におけるものであり、装着状態において、第一立体ギャザー２６ａの突出部２９ａと、第二立体ギャザー９６の先端９４との高さを比較するものとする。
【００８７】
第一立体ギャザー２６ａの先端８４が、第二立体ギャザー９６の先端９４よりも高い位置に存在する場合には、第一立体ギャザー２６ａの先端８４の高さ（ｔ１）と、第二立体ギャザー９６の先端９４の高さ（ｔ２）の差（ｔ１−ｔ２）は、２ｍｍ以上、９０ｍｍ以下であることが好ましく、５ｍｍ以上、４０ｍｍ以下であることが更に好ましい。なお、上述した差（ｔ１−ｔ２）が過剰に大きくならない限り、これまでに説明した立体ギャザーを２重に配置した場合の便益を十分に享受することができる。なお、上述した差（ｔ１−ｔ２）が過剰に大きくなる場合としては、例えば、第一立体ギャザー２６ａの高さが過剰に高すぎる場合と、第二立体ギャザー９６の高さが過剰に低すぎる場合との２通りが考えられる。第一立体ギャザー２６ａの高さが過剰に高すぎる場合には、第一立体ギャザー２６ａが垂れ下がったり、第一立体ギャザー２６ａの起立状態が悪くなったりすることがある。また、第一立体ギャザー２６ａの起立状態が悪くなった場合などに、第二立体ギャザー９６に覆い被さってしまうことがある。一方、第二立体ギャザー９６の高さが過剰に低すぎる場合には、第二立体ギャザー９６による堰き止め効果が低くなることがある。このため、例えば、第一立体ギャザー２６ａにて尿を堰き止めることができず、第一立体ギャザー２６ａと第二立体ギャザー９６との間まで尿が達した場合に、当該尿を第二立体ギャザー９６にて堰き止め切れないことがある。ただし、上述した２通りの例示は、第一立体ギャザー２６ａと第二立体ギャザー９６とのいずれか一方の高さが、一般的な立体ギャザーの高さを遥かに超えて高い又は低い場合の極端な例示であり、通常、上述した差（ｔ１−ｔ２）が極端に大きくならない限り、第一立体ギャザー２６ａの突出部２９ａが、第二立体ギャザー９６に対する支えとして有効に機能する。
【００８８】
実施形態９の使い捨ておむつ９００のおむつ本体９０は、これまでに説明した第二立体ギャザー９６及び装着領域９１を有するものであれば、吸収パッドを着脱可能な従来の使い捨ておむつのおむつ本体と同様に構成されていてもよい。以下、図１１及び図１２に示すおむつ本体９０の構成について説明する。
【００８９】
おむつ本体９０は、一対の第二立体ギャザー９６を有する第二吸収性本体１１４と、止着テープ１１０と、フロントパッチ１３０と、を備えたものである。この第二吸収性本体１１４に、これまでに説明した装着領域９１が形成されている。止着テープ１０は、第二吸収性本体１１４の後身頃６の左右の各側縁６ａ，６ｂから延出するように配設されている。フロントパッチ１３０は、止着テープ１１０を取り付けるためのものであり、第二吸収性本体１１４の前身頃２の肌非当接面側に配設されている。
【００９０】
図１１に示す使い捨ておむつ９００は、止着テープ１１０及びフロントパッチ１３０を備えたテープ型使い捨ておむつであるが、本発明の使い捨ておむつは、このようなテープ型使い捨ておむつに限定されることはない。例えば、本発明の使い捨ておむつは、パンツ型の使い捨ておむつであってもよい。本明細書中において「テープ型使い捨ておむつ」とは、図１１に示すように、止着テープ１１０と、フロントパッチ１３０と、を備え、その内面に吸収パッドを着脱可能に構成された使い捨ておむつことを意味する。一方、本明細書中において「パンツ型使い捨ておむつ」とは、図示は省略するが、前身頃、股下部及び後身頃の各部から構成され、前身頃と後身頃の対応する側縁部同士が接合されて、一つのウエスト周り開口部と一対の脚周り開口部が形成された使い捨ておむつのことを意味する。このような使い捨ておむつにおいても、その内面に吸収パッドを着脱可能に構成されていれば、本発明の使い捨ておむつに適用することができる。
【００９１】
第二吸収性本体１１４は、前身頃２、股下部４、及び後身頃６から構成され、複数のシートが第二吸収体１２２を挟持した状態で積層されたものである。実施形態９の使い捨ておむつ９００においては、第二トップシート１１８と第二バックシート１２０とが第二吸収体１２２を挟持した状態で積層された第二吸収性本体１１４を備えている。このような第二吸収性本体１１４は、股下部４を中心として、後身頃６から前身頃２にかけて、第二吸収体１２２が配設されていることが好ましい。第二吸収体１２２は、着用者の肌側の面（別言すれば、吸収パッド１００が載置される面）から液透過性の第二トップシート１１８によって被覆され、反対側の肌非当接面側から液不透過性の第二バックシート１２０によって被覆されている。第二吸収体１２２の各側縁１２２ａ，１２２ｂに沿って一対の第二立体ギャザー９６が配置されることが好ましい。
【００９２】
第二吸収体１２２は、着用者の尿を吸収し保持するための部材である。第二吸収体１２２は、着用者の尿や体液を吸収し保持するために、吸収性材料によって構成される。吸収性材料としては、例えば、フラッフパルプ、高吸水性ポリマー（Ｓｕｐｅｒ  Ａｂｓｏｒｂｅｎｔ  Ｐｏｌｙｍｅｒ；「ＳＡＰ」）、親水性シート等を採用することができる。フラッフパルプの例は、木材パルプや非木材パルプを綿状に解繊したものである。高吸水性ポリマーの例は、ポリアクリル酸ナトリウムである。親水性シートとしては、例えば、ティシュ、吸収紙、親水化処理を行った不織布を用いることができる。
【００９３】
第二吸収体１２２は、第二トップシート１１８と第二バックシート１２０の間に挟み込まれ、両シートの周縁部が封着されることによって、第二トップシート１１８と第二バックシート１２０との間に封入される。第二吸収体１２２の形状は、図示された形状に制限されるものではなく、例えば、矩形状、砂時計型、ひょうたん型、Ｔ字型とすることができる。図１１に示す使い捨ておむつ９００では、第二吸収体１２２として砂時計型の吸収体を採用している。
【００９４】
第二トップシート１１８は、第二吸収体１２２の肌当接面側を被覆するように配置される液透過性のシートである。第二トップシート１１８を構成する液透過性材料として、例えば、織布、不織布、多孔性フィルを採用することができる。特に、ポリプロピレン、ポリエチレン、ポリエステル、ナイロンのような熱可塑性樹脂からなる不織布に親水化処理を施したものを用いることが好ましい。第二トップシート１１８は、単一のシート材によって構成されていてもよいが、複数のシート材によって構成されていてもよい。例えば、第二吸収体の表面部に配置されるシートと、サイドフラップの部分に配置されるシートを組み合わせた構成であってもよい。
【００９５】
第二バックシート１２０は、第二吸収体１２２を肌非当接面側から被覆するように配置される液不透過性のシートである。第二バックシート１２０は、第二吸収体１２２により保持されている液体が、おむつ外部に漏洩してしまうことを防止する。第二バックシート１２０を構成する液不透過性材料としては、例えば、ポリエチレン等の樹脂からなる液不透過性フィルム等を採用することができる。特に、微多孔性ポリエチレンフィルムを用いることが好ましい。この微多孔性ポリエチレンフィルムは、０．１μｍ程度の微細な孔が多数形成されており、液不透過性ではあるが透湿性を有するためおむつ内部の蒸れを防止することができるという点において好ましい。また、第二バックシート１２０の外表面には、第二バックシート１２０を補強し、その手触りを良くするために、カバーシートを貼り合わせることとしてもよい。カバーシートを形成する材料としては、例えば、ポリエチレン、ポリプロピレン、ポリエステルのような熱可塑性樹脂からなる不織布、又は湿式不織布を用いることができる。
【００９６】
使い捨ておむつ９００においては、脚部周りギャザーや、腰周りギャザーを形成することが好ましい。脚部周りギャザーは、使い捨ておむつの脚部周りの開口部から、尿などの液体が漏出する事態を防止するための部材である。脚部周りの開口部に沿って、脚部周り伸縮材１４０が伸長状態で配置され、この脚部周り伸縮材１４０の収縮力を利用して、脚部周りギャザーが形成される。これにより、脚周りに隙間が形成され難くなり、脚周り開口部からの尿漏れを効果的に防止することができる。
【００９７】
例えば、図１１に示す使い捨ておむつ９００は、おむつ本体９０の脚部周りに、おむつの長手方向（上下方向）に沿って直線的な３本の脚部周り伸縮材１４０を配置した例である。この脚部周り伸縮材１４０は、例えば、糸ゴムや平ゴムによって構成されている。脚部周り伸縮材１４０は、必ずしも直線的に配置する必要はなく、例えば、おむつの脚周り開口部のカーブに沿って曲線的に配置してもよい。
【００９８】
また、腰周りギャザーは、使い捨ておむつの腰周りの開口部からの尿漏れを防止するとともに、使い捨ておむつのフィット性を向上させ、おむつのずり下がりが防止するための部材である。腰周りの開口部にそって、腰周り伸縮材１４２が伸長状態で配置され、この腰周り伸縮材１４２の収縮力を利用して、腰周りギャザーが形成される。これにより、使い捨ておむつ９００の後身頃６が着用者の背部に密着するため、背部からの尿漏を有効に防止しつつ、フィット感を向上させることができる。
【００９９】
例えば、図１１に示す使い捨ておむつ９００は、後身頃６の端部の腰周りに相当する位置に、おむつの短手方向（左右方向）に沿って、平ゴムからなる腰周り伸縮材１４２を配置した例である。この腰周り伸縮材１４２は、脚部周り伸縮材１４０と同様に、例えば、糸ゴムや平ゴムによって構成することができる。
【０１００】
脚部周り伸縮材１４０や腰周り伸縮材１４２としては、例えば、天然ゴムや合成ゴム（ウレタンゴム等）の弾性材からなるゴム、伸縮性ネット、伸縮性フィルム、伸縮性フォーム（ウレタンフォーム等）を採用することができる。これらの、伸縮材は、おむつの他の構成部材に対して、接着剤その他の手段により固定される。固定方法としては、例えば、ホットメルト接着剤、その他の流動性の高い接着剤を用いた接着であってもよいし、ヒートシールのような熱や超音波等による溶着であってもよい。
【０１０１】
以上、本発明の実施形態を説明したが、本発明はこれらに限定されるものではなく、その要旨の範囲内で様々な変形や変更が可能である。
【産業上の利用可能性】
【０１０２】
本発明の吸収パッド及び使い捨ておむつは、乳幼児用又は介護を必要とする高齢者や障害者等の成人用の使い捨ておむつに適用することができる。したがって、本発明は、育児産業や介護産業等において好適に利用し得る。
【符号の説明】
【０１０３】
２：前身頃、４：股下部、６：後身頃、６ａ，６ｂ：側縁、１４：吸収性本体、１６：外装体、１８：トップシート、２０：バックシート、２２：吸収体、２２ａ，２２ｂ：側縁、２６ａ，２６ｂ，２６ｃ，２６ｄ，２６ｅ，２６ｆ，２６ｇ，２６ｈ：立体ギャザー、２７ａ，２７ｂ，２７ｃ，２７ｄ，２７ｅ，２７ｆ，２７ｇ，２７ｈ：防漏壁部、２８：立体ギャザー伸縮材、２９ａ，２９ｂ，２９ｃ，２９ｄ，２９ｅ，２９ｆ，２９ｇ，２９ｈ：突出部、２９ａａ：シート（凹凸加工したシート）、２９ｂｂ，２９ｃｃ：シート（プリーツ加工したシート）、２９ｄｄ，２９ｅｅ：吸収性素材、３０：接着部、８１：壁面（防漏壁部の壁面）、８２：外側壁面（防漏壁部の外側壁面）、８３：根元、８４：先端、９０：おむつ本体、９１：装着領域、９４：先端、９６：第二立体ギャザー、９７：第二防漏壁部、９８：第二立体ギャザー伸縮材、１００，２００，３００，４００，５００，６００，７００，８００：吸収パッド、１１０：止着テープ、１１４：第二吸収性本体、１３０：フロントパッチ、１１８：第二トップシート、１２０：バックシート、１２２：第二吸収体、１２２ａ，１２２ｂ：側縁、１４０：脚部周り伸縮材、１４２：腰周り伸縮材、９００：使い捨ておむつ、Ｌ：起立線（立体ギャザーの起立線）、Ｐ：立体ギャザーの起立する方向。
【図１】
2014188105.tif 000003
【図２】
2014188105.tif 000004
【図３】
2014188105.tif 000005
【図４】
2014188105.tif 000006
【図５】
2014188105.tif 000007
【図６】
2014188105.tif 000008
【図７】
2014188105.tif 000009
【図８】
2014188105.tif 000010
【図９】
2014188105.tif 000011
【図１０】
2014188105.tif 000012
【図１１】
2014188105.tif 000013
【図１２】
2014188105.tif 000014